【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】
発せられた音声に基づいて変換されたテキストデータを校正する校正システムであって、
発せられた一連の音声を音声信号に変換し、複数の音声信号に分割する音声信号変換部と、
前記分割された音声信号をテキストデータに変換するテキスト変換部と、
互いに対応している前記音声信号と前記テキストデータとを同期させて読み出す同期読出部と、
前記同期読出部で読み出された音声信号から得られた音声に基づいて、テキストデータを校正する校正実行部と
を有することを特徴とする校正システム。
【請求項２】
発せられた音声に基づいて変換されたテキストデータを校正する校正システムであって、
発せられた一連の音声を音声信号に変換し、複数の音声信号に分割する音声信号変換部と、
前記分割された音声信号をテキストデータに変換するテキスト変換部と、
前記変換された音声信号及びテキストデータを蓄積させる蓄積部と、
前記蓄積部から互いに対応する音声信号とテキストデータとを同期させて読み出す同期読出部と、
前記同期読出部で読み出された音声信号から得られた音声に基づいて、テキストデータを校正する校正実行部と
を有することを特徴とする校正システム。
【請求項３】
発せられた音声に基づいて変換されたテキストデータを校正する校正システムであって、
発せられた一連の音声を音声信号に変換し、複数の音声信号に分割する音声信号変換部と、
前記分割された音声信号をテキストデータに変換するテキスト変換部と、
前記分割された音声信号を、前記テキスト変換部で生じる変換時間に近似した時間、遅延させる遅延部と、
前記遅延部で遅延された音声信号から得られた音声に基づいて、テキストデータを校正する校正実行部と
を有することを特徴とする校正システム。
【請求項４】
発せられた音声に基づいて変換されたテキストデータを校正する校正システムであって、
発せられた一連の音声を音声信号に変換し、複数の音声信号に分割する音声信号変換部と、
前記分割された音声信号をテキストデータに変換するテキスト変換部と、
テキストデータと、このテキストデータの元となる分割された音声信号とを互いに関連付ける識別情報を、前記テキストデータと前記分割された音声信号とに付装する識別情報付装部と、
前記識別情報が付された音声信号と、前記識別情報が付されたテキストデータとが蓄積される蓄積部と、
互いに関連付けられた識別情報を持つテキストデータ及び音声信号を、先頭識別情報から順番に、前記蓄積部から同期させて読み出す同期読出部と、
前記同期読出部で読み出された音声信号から得られた音声に基づいて、テキストデータを校正する校正実行部と
を有することを特徴とする校正システム。
【請求項５】
発せられた音声に基づいて変換されたテキストデータを校正する校正システムであって、
発せられた一連の音声を音声信号に変換し、複数の音声信号に分割する音声信号変換部と、
前記分割された音声信号をテキストデータに変換するテキスト変換部と、
テキストデータと、このテキストデータの元となる分割された音声信号とを互いに関連付ける識別情報を、前記テキストデータと前記分割された音声信号とに付装する識別情報付装部と、
前記識別情報が付された音声信号と、前記識別情報が付されたテキストデータとが蓄積される蓄積部と、
互いに関連付けられた識別情報を持つテキストデータ及び音声信号を、前記蓄積部から同期させて読み出す同期読出部と、
前記同期読出部で読み出された音声信号から得られた音声に基づいて、テキストデータを校正する校正実行部と
を有することを特徴とする校正システム。
【請求項６】
前記同期読出部、又は遅延部から読み出された音声信号を、所定時間遅延させて前記校正実行部に出力する遅延部を更に有することを特徴とする請求項１から請求項５のいずれかに記載の校正システム。
【請求項７】
前記同期読出部、又は遅延部から読み出された、テキストデータと音声信号とを結合する結合部を更に有することを特徴とする請求項１から請求項５のいずれかに記載の校正システム。
【請求項８】
前記結合部で結合された音声信号及びテキストデータを分離した後、分離された音声信号を所定時間遅延させて前記校正実行部に出力する遅延部を更に有することを特徴とする請求項７に記載の校正システム。
【請求項９】
前記同期読出部は、所定の間隔をおいて、テキストデータ及び音声信号を同期させて読み出す同期読出部であることを特徴とする請求項１から請求項８のいずれかに記載の校正システム。
【請求項１０】
前記校正実行部は、
前記テキストデータを表示させる表示部と、
前記表示部に表示されているテキストデータに対応している音声を流す音声再生部と、
校正者のアクションに基づいて、前記表示部に表示されているテキストデータに対応している音声を前記音声再生部に再生させるように制御する再生制御部と
を更に有することを特徴とする請求項１から請求項９のいずれかに記載の校正システム。
【請求項１１】
発せられた音声に基づいて変換されたテキストデータを校正する校正システムを、情報処理装置に行わせるプログラムであって、
前記プログラムは、情報処理装置を、
発せられた一連の音声を音声信号に変換し、複数の音声信号に分割する音声信号変換部と、
前記分割された音声信号をテキストデータに変換するテキスト変換部と、
互いに対応している前記音声信号と前記テキストデータとを同期させて読み出す同期読出部と、
前記同期読出部で読み出された音声信号から得られた音声に基づいて、テキストデータを校正する校正実行部と
して機能させることを特徴とするプログラム。
【請求項１２】
発せられた音声に基づいて変換されたテキストデータを校正する校正システムを、情報処理装置に行わせるプログラムであって、
前記プログラムは、情報処理装置を、
発せられた一連の音声を音声信号に変換し、複数の音声信号に分割する音声信号変換部と、
前記分割された音声信号をテキストデータに変換するテキスト変換部と、
前記変換された音声信号及びテキストデータを蓄積させる蓄積部と、
前記蓄積部から互いに対応する音声信号とテキストデータとを同期させて読み出す同期読出部と、
前記同期読出部で読み出された音声信号から得られた音声に基づいて、テキストデータを校正する校正実行部と
して機能させることを特徴とするプログラム。
【請求項１３】
発せられた音声に基づいて変換されたテキストデータを校正する校正システムを、情報処理装置に行わせるプログラムであって、
前記プログラムは、情報処理装置を、
発せられた一連の音声を音声信号に変換し、複数の音声信号に分割する音声信号変換部と、
前記分割された音声信号をテキストデータに変換するテキスト変換部と、
前記分割された音声信号を、前記テキスト変換部で生じる変換時間に近似した時間、遅延させる遅延部と、
前記遅延部で遅延された音声信号から得られた音声に基づいて、テキストデータを校正する校正実行部と
して機能させることを特徴とするプログラム。
【請求項１４】
発せられた音声に基づいて変換されたテキストデータを校正する校正システムを、情報処理装置に行わせるプログラムであって、
前記プログラムは、情報処理装置を、
発せられた一連の音声を音声信号に変換し、複数の音声信号に分割する音声信号変換部と、
前記分割された音声信号をテキストデータに変換するテキスト変換部と、
テキストデータと、このテキストデータの元となる分割された音声信号とを互いに関連付ける識別情報を、前記テキストデータと前記分割された音声信号とに付装する識別情報付装部と、
前記識別情報が付された音声信号と、前記識別情報が付されたテキストデータとが蓄積された蓄積部から、互いに関連付けられた識別情報を持つテキストデータ及び音声信号を、先頭識別情報から順番に同期させて読み出す同期読出部と、
前記同期読出部で読み出された音声信号から得られた音声に基づいて、テキストデータを校正する校正実行部と
して機能させることを特徴とするプログラム。
【請求項１５】
発せられた音声に基づいて変換されたテキストデータを校正する校正システムを、情報処理装置に行わせるプログラムであって、
前記プログラムは、情報処理装置を、
発せられた一連の音声を音声信号に変換し、複数の音声信号に分割する音声信号変換部と、
前記分割された音声信号をテキストデータに変換するテキスト変換部と、
テキストデータと、このテキストデータの元となる分割された音声信号とを互いに関連付ける識別情報を、前記テキストデータと前記分割された音声信号とに付装する識別情報付装部と、
前記識別情報が付された音声信号と、前記識別情報が付されたテキストデータとが蓄積された蓄積部から、互いに関連付けられた識別情報を持つテキストデータ及び音声信号を同期させて読み出す同期読出部と、
前記同期読出部で読み出された音声信号から得られた音声に基づいて、テキストデータを校正する校正実行部と
して機能させることを特徴とするプログラム。
【請求項１６】
前記プログラムは、情報処理装置を、前記同期読出部、又は遅延部から読み出された音声信号を、所定時間遅延させて前記校正実行部に出力する遅延部として更に機能させることを特徴とする請求項１１から請求項１５のいずれかに記載のプログラム。
【請求項１７】
前記プログラムは、情報処理装置を、前記同期読出部、又は遅延部から読み出された、テキストデータと音声信号とを結合する結合部として更に機能させることを特徴とする請求項１１から請求項１５のいずれかに記載のプログラム。
【請求項１８】
前記プログラムは、情報処理装置を、前記結合部で結合された音声信号及びテキストデータを分離した後、分離された音声信号を所定時間遅延させて前記校正実行部に出力する遅延部として更に機能させることを特徴とする請求項１７に記載のプログラム。
【請求項１９】
前記プログラムは、情報処理装置を、前記同期読出部を、所定の間隔をおいて、テキストデータ及び音声信号を同期させて読み出す同期読出部として機能させることを特徴とする請求項１１から請求項１８のいずれかに記載のプログラム。
【請求項２０】
前記プログラムは、前記校正実行部を、
前記テキストデータを表示させる表示部と、
前記表示部に表示されているテキストデータに対応している音声を流す音声再生部と、
校正者のアクションに基づいて、前記表示部に表示されているテキストデータに対応している音声を前記音声再生部に再生させるように制御する再生制御部
として更に機能させることを特徴とする請求項１１から請求項１９のいずれかに記載の校正システム。
【手続補正２】
【補正対象書類名】明細書
【補正対象項目名】０００６
【補正方法】変更
【補正の内容】
【０００６】
そこで、本発明は上記問題点に鑑みて発明されたものであって、その目的は、音声認識装置によって文字化されたテキストデータと、文字化に使用された音声信号とを同時に校正者に送信すること、又は、音声認識装置によって文字化されたテキストデータを文字化に使用された音声信号より先に校正者に送信することによって、文字化されたテキストデータの誤り箇所を見つけやすくする技術を提供することにある。
【手続補正３】
【補正対象書類名】明細書
【補正対象項目名】０００８
【補正方法】変更
【補正の内容】
【０００８】
上記課題を解決するための第二の発明は、発せられた音声に基づいて変換されたテキストデータを校正する校正システムであって、発せられた一連の音声を音声信号に変換し、複数の音声信号に分割する音声信号変換部と、前記分割された音声信号をテキストデータに変換するテキスト変換部と、前記変換された音声信号及びテキストデータを蓄積させる蓄積部と、前記蓄積部から互いに対応する音声信号とテキストデータとを同期させて読み出す同期読出部と、前記同期読出部で読み出された音声信号から得られた音声に基づいて、テキストデータを校正する校正実行部とを有することを特徴とする。
【手続補正４】
【補正対象書類名】明細書
【補正対象項目名】００１０
【補正方法】変更
【補正の内容】
【００１０】
上記課題を解決するための第四の発明は、発せられた音声に基づいて変換されたテキストデータを校正する校正システムであって、発せられた一連の音声を音声信号に変換し、複数の音声信号に分割する音声信号変換部と、前記分割された音声信号をテキストデータに変換するテキスト変換部と、テキストデータと、このテキストデータの元となる分割された音声信号とを互いに関連付ける識別情報を、前記テキストデータと前記分割された音声信号とに付装する識別情報付装部と、前記識別情報が付された音声信号と、前記識別情報が付されたテキストデータとが蓄積される蓄積部と、互いに関連付けられた識別情報を持つテキストデータ及び音声信号を、先頭識別情報から順番に、前記蓄積部から同期させて読み出す同期読出部と、前記同期読出部で読み出された音声信号から得られた音声に基づいて、テキストデータを校正する校正実行部とを有することを特徴とする。
上記課題を解決するための第五の発明は、発せられた音声に基づいて変換されたテキストデータを校正する校正システムであって、発せられた一連の音声を音声信号に変換し、複数の音声信号に分割する音声信号変換部と、前記分割された音声信号をテキストデータに変換するテキスト変換部と、テキストデータと、このテキストデータの元となる分割された音声信号とを互いに関連付ける識別情報を、前記テキストデータと前記分割された音声信号とに付装する識別情報付装部と、前記識別情報が付された音声信号と、前記識別情報が付されたテキストデータとが蓄積される蓄積部と、互いに関連付けられた識別情報を持つテキストデータ及び音声信号を、前記蓄積部から同期させて読み出す同期読出部と、前記同期読出部で読み出された音声信号から得られた音声に基づいて、テキストデータを校正する校正実行部とを有することを特徴とする。
【手続補正５】
【補正対象書類名】明細書
【補正対象項目名】００１１
【補正方法】変更
【補正の内容】
【００１１】
上記課題を解決するための第六の発明は、上記第一から第五の発明のいずれかの発明において、前記同期読出部、又は遅延部から読み出された音声信号を、所定時間遅延させて前記校正実行部に出力する遅延部を更に有することを特徴とする。
【手続補正６】
【補正対象書類名】明細書
【補正対象項目名】００１２
【補正方法】変更
【補正の内容】
【００１２】
上記課題を解決するための第七の発明は、上記第一から上記第五のいずれかの発明において、前記同期読出部、又は遅延部から読み出された、テキストデータと音声信号とを結合する結合部を更に有することを特徴とする。
【手続補正７】
【補正対象書類名】明細書
【補正対象項目名】００１３
【補正方法】変更
【補正の内容】
【００１３】
上記課題を解決するための第八の発明は、上記第七の発明において、前記結合部で結合された音声信号及びテキストデータを分離した後、分離された音声信号を所定時間遅延させて前記校正実行部に出力する遅延部を更に有することを特徴とする。
【手続補正８】
【補正対象書類名】明細書
【補正対象項目名】００１４
【補正方法】変更
【補正の内容】
【００１４】
上記課題を解決するための第九の発明は、上記第一から上記第八のいずれかの発明において、前記同期読出部は、所定の間隔をおいて、テキストデータ及び音声信号を同期させて読み出す同期読出部であることを特徴とする。
【手続補正９】
【補正対象書類名】明細書
【補正対象項目名】００１５
【補正方法】変更
【補正の内容】
【００１５】
上記課題を解決するための第十の発明は、上記第一から上記第九のいずれかの発明において、前記校正実行部は、前記テキストデータを表示させる表示部と、前記表示部に表示されているテキストデータに対応している音声を流す音声再生部と、校正者のアクションに基づいて、前記表示部に表示されているテキストデータに対応している音声を前記音声再生部に再生させるように制御する再生制御部とを更に有することを特徴とする。
【手続補正１０】
【補正対象書類名】明細書
【補正対象項目名】００１６
【補正方法】変更
【補正の内容】
【００１６】
上記課題を解決するための第十一の発明は、発せられた音声に基づいて変換されたテキストデータを校正する校正システムを、情報処理装置に行わせるプログラムであって、前記プログラムは、情報処理装置を、発せられた一連の音声を音声信号に変換し、複数の音声信号に分割する音声信号変換部と、前記分割された音声信号をテキストデータに変換するテキスト変換部と、互いに対応している前記音声信号と前記テキストデータとを同期させて読み出す同期読出部と、前記同期読出部で読み出された音声信号から得られた音声に基づいて、テキストデータを校正する校正実行部として機能させることを特徴とする。
【手続補正１１】
【補正対象書類名】明細書
【補正対象項目名】００１７
【補正方法】変更
【補正の内容】
【００１７】
上記課題を解決するための第十二の発明は、発せられた音声に基づいて変換されたテキストデータを校正する校正システムを、情報処理装置に行わせるプログラムであって、前記プログラムは、情報処理装置を、発せられた一連の音声を音声信号に変換し、複数の音声信号に分割する音声信号変換部と、前記分割された音声信号をテキストデータに変換するテキスト変換部と、前記変換された音声信号及びテキストデータを蓄積させる蓄積部と、前記蓄積部から互いに対応する音声信号とテキストデータとを同期させて読み出す同期読出部と、前記同期読出部で読み出された音声信号から得られた音声に基づいて、テキストデータを校正する校正実行部として機能させることを特徴とする。
【手続補正１２】
【補正対象書類名】明細書
【補正対象項目名】００１８
【補正方法】変更
【補正の内容】
【００１８】
上記課題を解決するための第十三の発明は、発せられた音声に基づいて変換されたテキストデータを校正する校正システムを、情報処理装置に行わせるプログラムであって、前記プログラムは、情報処理装置を、発せられた一連の音声を音声信号に変換し、複数の音声信号に分割する音声信号変換部と、前記分割された音声信号をテキストデータに変換するテキスト変換部と、前記分割された音声信号を、前記テキスト変換部で生じる変換時間に近似した時間、遅延させる遅延部と、前記遅延部で遅延された音声信号から得られた音声に基づいて、テキストデータを校正する校正実行部として機能させることを特徴とする。
【手続補正１３】
【補正対象書類名】明細書
【補正対象項目名】００１９
【補正方法】変更
【補正の内容】
【００１９】
上記課題を解決するための第十四の発明は、発せられた音声に基づいて変換されたテキストデータを校正する校正システムを、情報処理装置に行わせるプログラムであって、前記プログラムは、情報処理装置を、発せられた一連の音声を音声信号に変換し、複数の音声信号に分割する音声信号変換部と、前記分割された音声信号をテキストデータに変換するテキスト変換部と、テキストデータと、このテキストデータの元となる分割された音声信号とを互いに関連付ける識別情報を、前記テキストデータと前記分割された音声信号とに付装する識別情報付装部と、前記識別情報が付された音声信号と前記識別情報が付されたテキストデータとが蓄積された蓄積部から、互いに関連付けられた識別情報を持つテキストデータ及び音声信号を、先頭識別情報から順番に同期させて読み出す同期読出部と、前記同期読出部で読み出された音声信号から得られた音声に基づいて、テキストデータを校正する校正実行部として機能させることを特徴とする。
上記課題を解決するための第十五の発明は、発せられた音声に基づいて変換されたテキストデータを校正する校正システムを、情報処理装置に行わせるプログラムであって、前記プログラムは、情報処理装置を、発せられた一連の音声を音声信号に変換し、複数の音声信号に分割する音声信号変換部と、前記分割された音声信号をテキストデータに変換するテキスト変換部と、テキストデータと、このテキストデータの元となる分割された音声信号とを互いに関連付ける識別情報を、前記テキストデータと前記分割された音声信号とに付装する識別情報付装部と、前記識別情報が付された音声信号と前記識別情報が付されたテキストデータとが蓄積された蓄積部から、互いに関連付けられた識別情報を持つテキストデータ及び音声信号を同期させて読み出す同期読出部と、前記同期読出部で読み出された音声信号から得られた音声に基づいて、テキストデータを校正する校正実行部として機能させることを特徴とする。
【手続補正１４】
【補正対象書類名】明細書
【補正対象項目名】００２０
【補正方法】変更
【補正の内容】
【００２０】
上記課題を解決するための第十六の発明は、上記第十一から第十五のいずれかの発明において、前記プログラムは、情報処理装置を、前記同期読出部、又は遅延部から読み出された音声信号を、所定時間遅延させて前記校正実行部に出力する遅延部として更に機能させることを特徴とする。
【手続補正１５】
【補正対象書類名】明細書
【補正対象項目名】００２１
【補正方法】変更
【補正の内容】
【００２１】
上記課題を解決するための第十七の発明は、上記第十一から第十五のいずれかの発明において、前記プログラムは、情報処理装置を、前記同期読出部、又は遅延部から読み出された、テキストデータと音声信号とを結合する結合部として更に機能させることを特徴とする。
【手続補正１６】
【補正対象書類名】明細書
【補正対象項目名】００２２
【補正方法】変更
【補正の内容】
【００２２】
上記課題を解決するための第十八の発明は、上記第十七の発明において、前記プログラムは、情報処理装置を、前記結合部で結合された音声信号及びテキストデータを分離した後、分離された音声信号を所定時間遅延させて前記校正実行部に出力する遅延部として更に機能させることを特徴とする。
【手続補正１７】
【補正対象書類名】明細書
【補正対象項目名】００２３
【補正方法】変更
【補正の内容】
【００２３】
上記課題を解決するための第十九の発明は、上記第十一から第十八のいずれかの発明において、前記プログラムは、情報処理装置を、前記同期読出部を、所定の間隔をおいて、テキストデータ及び音声信号を同期させて読み出す同期読出部として機能させることを特徴とする。
【手続補正１８】
【補正対象書類名】明細書
【補正対象項目名】００２４
【補正方法】変更
【補正の内容】
【００２４】
上記課題を解決するための第二十の発明は、上記第十一から第十九のいずれかの発明において、前記プログラムは、前記校正実行部を、前記テキストデータを表示させる表示部と、前記表示部に表示されているテキストデータに対応している音声を流す音声再生部と、校正者のアクションに基づいて、前記表示部に表示されているテキストデータに対応している音声を前記音声再生部に再生させるように制御する再生制御部として更に機能させることを特徴とする。
【手続補正１９】
【補正対象書類名】明細書
【補正対象項目名】００３３
【補正方法】変更
【補正の内容】
【００３３】
遅延部２１は、予め設定された遅延時間に従って、音声信号変換部１１からの音声信号を遅延させてバッファ２２に送信するものである。尚、遅延時間は、テキスト変換部１２で音声信号からテキストデータを作成するのに要する時間であり、任意に設定可能である。
【手続補正２０】
【補正対象書類名】明細書
【補正対象項目名】００６６
【補正方法】変更
【補正の内容】
【００６６】
結合部２５は、同期読出部２３が読み出したテキストデータ及び音声信号を結合し、校正実行部２４に出力するものである。例えば、同一の識別番号が付された音声信号とテキストデータとを、図９に示すようなデータ形式になるように結合する。
【手続補正２１】
【補正対象書類名】明細書
【補正対象項目名】００６８
【補正方法】変更
【補正の内容】
【００６８】
図８は、第三の実施の形態を示すフローチャートである。
【手続補正２２】
【補正対象書類名】明細書
【補正対象項目名】００９２
【補正方法】変更
【補正の内容】
【００９２】
【図面の簡単な説明】
【図１】
図１は、本発明に係わる第一の実施の形態を示すブロック図である。
【図２】
図２は、本発明に係わる実施の形態を説明するための音声波形である。
【図３】
図３は、本発明に係わる第一の実施形態の動作を示すフローチャートである。
【図４】
図４は、本発明に係わる第二の実施形態を示すブロック図である。
【図５】
図５は、本発明に係わる実施形態を説明するための音声波形である。
【図６】
図６は、本発明に係わる第二の実施形態の動作を示すフローチャートである。
【図７】
図７は本発明に係わる第三の実施形態を示すブロック図である。
【図８】
図８は、本発明に係わる第三の実施形態の動作を示すフローチャートである。
【図９】
図９は、本発明に係わる第三の実施形態におけるデータの図である。
【図１０】
図１０は、本発明に係わる第四の実施形態を示すブロック図である。
【符号の説明】
１        校正システム
１０      音声認識部
１１      音声信号変換部
１２      テキスト変換部
１３      識別情報付装部
２０      校正部
２１      遅延部
２２      バッファ
２３      同期読出部
２４      校正実行部
２５      結合部
１００    カウンタ
２４０    再生制御部
２４１    表示部
２４２    音声再生部
２４３    再生ボタン